(57)【要約】      （修正有）【課題】保形リングの差込口の位置をわかりやすくする便座カバーを提供する。【解決手段】ほぼ筒状の編地からなる本体と、チューブ状の本体上端縁２２と、チューブ状の本体下端縁２３からなる便座カバー２である。前記本体上端縁２２の中にゴム紐２４が取り付けられており、前記本体下端縁２３の中に円形の保形リング２５とその差込口２８が取り付けられている。前記保形リングの前記差込口２８を示すために、前記保形リング２５の差込口表示具３を前記差込口２８に取り付けられる。【選択図】図５
0003182644.tif 000002
【実用新案登録請求の範囲】
【請求項１】
洋式トイレの便座カバー（２）であって、
ほぼ筒状の編地からなる本体（２１）と、ほぼチューブ状の本体上端縁（２２）と、ほぼチューブ状の本体下端縁（２３）からなり、
前記本体上端縁（２２）の中にゴム紐（２４）が取り付けられており、前記本体下端縁（２３）の中に円形の保形リング（２５）とその差込口（２８）が取り付けられているものにおいて、
前記保形リング（２５）の前記差込口（２８）を示すための注意書き（４）を前記差込口（２８）の近辺に設けたこと、及び
前記保形リング（２５）の差込口表示具（３）を前記差込口（２８）に取り付けたことを特徴とする便座カバー（２）。
【請求項２】
前記保形リング（２５）の差込口表示具（３）が、前記便座カバー下端部（２３）に差し込むための左右延長脚部（３１）と、前記左右延長脚部（３１）と連続し、前記差込口（２８）から立ち上がる摘み部（３２）からなる台紙である請求項１記載の便座カバー。
【請求項３】
請求項１又は２記載の便座カバーにおいて使用する前記保形リング（２５）の  差込口表示具（３）。
【考案の詳細な説明】
【技術分野】
【０００１】
本考案は、洋式トイレやポータブルトイレで使用するＯ型の便座カバーに関するものである。特に、保形リング差込口の表示具を有する便座カバーに関する。
【背景技術】
【０００２】
現在市販されている洋式トイレやポータブルトイレのＯ型便座カバーには円形状態を保持するために保形リングが使用されている。この保形リングは、プラスチック製（たとえば、軟質ポリプロピレン製）のパイプであることが多い。そのようなパイプを開示した従来技術としては、特開２００４―１３５９１１、特開２００９―７２３２５、実公昭５９―３２３９８などがある。
【考案の概要】
【考案が解決しようとする課題】
【０００３】
これらの便座カバーを販売するとき、容積を少なくする目的で便座カバーと保形リングを分離した状態で行う場合がある。その場合、購入した消費者が初回使用開始前に保形リングを取り付けることになる。また便座カバーが汚れた時には、保形リングを抜き取ってから洗濯を行ない、洗濯後に再び取り付ける必要がある。なぜならば保形リングを装着したまま洗濯を行なえば、洗濯機の回転のため保形リングが変形したり、カバー本体を破損したりする恐れがあるからである。この保形リングの取付作業は、視力の弱い人や年配の方にとって差込口を探すのが大変である。本考案はこのような事情に鑑みて考案されたものであり、保形リングの差込口の位置をわかりやすくすることを目的とする。
【課題を解決するための手段】
【０００４】
本考案は、洋式トイレの便座カバーであって、ほぼ筒状の編地からなる本体と、チューブ状の本体上端縁と、チューブ状の本体下端縁からなり、本体上端縁の中にゴム紐が取り付けられており、本体下端縁の中に円形の保形リングが取り付けられているものにおいて、前記保形リングの前記差込口を示すための注意書きを前記差込口の近辺に設けたこと、及び前記保形リングの差込口表示具を前記差込口に取り付けたことを特徴とする（請求項１）。
【０００５】
好ましくは、保形リングの差込口表示具は、チューブ状の便座カバー下端部に差し込むための左右延長脚部と、前記左右延長脚部と連続し、差込口から立ち上がる摘み部からなる台紙である（請求項２）。
【考案の効果】
【０００６】
本考案によれば、前記表示具により、チューブ状の便座カバー下端部にある保形リングの差込口が容易に識別可能となる。その結果、購入した消費者が初回使用開始前に保形リングを取り付けるときや、洗濯後に再び取り付けるときの作業が容易となる。
【０００７】
以下、添付の図面に基づき、本考案の実施例を説明する。
【図面の簡単な説明】
【０００８】
【図１】本考案で使用するタイプの便座カバーを装着した洋式トイレの（ａ）平面図、（ｂ）底面図である。
【図２】本考案で使用するタイプの便座カバーの（ａ）平面図、（ｂ）底面図、（ｃ）正面図、（ｄ）背面図、（ｅ）側面図である。
【図３】本考案で使用するタイプの便座カバーの取付方法を説明する斜視図である。
【図４】図１のIV―IV断面図である。
【図５】本考案の保形リング差込口の表示具の使用方法を説明する斜視図であり、（ａ）は表示具を外した状態、（ｂ）は表示具を付けた状態である。
【図６】保形リング差込口の一部拡大図である。
【考案を実施するための形態】
【０００９】
図１に示すタイプのＯ型洋式トイレの便座1には、図２に全体の外形を示したような便座カバー２が使用されている。便座カバー２は、ほぼ筒状の編地からなる本体２１と、チューブ状の上端縁２２と、同じくチューブ状の下端縁２３からなる。上端縁２２の中にゴム紐２４が取り付けられており、下端縁２３の中に円形の保形リング２５が取り付けられている。前記のとおり、保形リングはプラスチック製（たとえば、軟質ポリプロピレン製）のパイプであることが多い。上端縁２２には一部半円状の切り込み２６があり、切り込み２６の両端には互いに係合可能な一対のフック２７（図３）が取り付けられている。
【００１０】
この便座カバー２は、図３の矢印に示すように、保形リング２５のある下端縁２３を便座の下側かつ内側に設定して、ゴム紐のある上端縁２２を便座の下側かつ外側に設定することにより、図１（ａ）（ｂ）に示すような形で固定される。最終的に、上端縁の２つのフック２７を係合させて取り付けは完了する。
【００１１】
上記発明の課題で述べたように、保形リング２５は、便座カバー２と分離されている状態で販売されることが多く、初回使用開始時に購入者自身で取り付ける必要がある。また、洗濯のときにはいったん保形リング２５を取り外しておき、洗濯後、再使用を開始するときに改めて付け直す必要がある。
【００１２】
保形リング２５の初回設定および付け直しは、便座カバー２のチューブ状下端縁２３の差込口２８にリング２５ａの一端を挿入し、チューブに沿って指で押し込んでいくことにより行われる。保形リング２５の末端同士は、図５（ａ）に示すような結合パイプ２５ｂにより接合されて、リングとなる。
【００１３】
保形リング２５の初回設定のとき、保形リングの差込口２８がどこにあるのか迷う人が多い。保形リング２５の下端には保形リングの差込口２８の位置を示す注意書きをした布片４が縫い付けてあるが、案外気が付かない人が多い。
【００１４】
このようなときに、本考案では、保形リングの差込口２８を示すために、図５に示すような保形リング２５の差込口表示具３を用いる。この表示具３は図６に拡大図を示すような外観を有する台紙である。チューブ状の便座カバー下端部２３に差し込むための左右延長脚部３１と、差込口から立ち上がる摘み部３２からなる。「台紙」といっても紙だけでなく、プラスチックシートであってもよい。台紙の上には必要な注意事項を記載してもよい。
【００１５】
この台紙は、消費者に差込口２８の存在を知らせること、及び、差込口の近辺に注意書きをした布片４があってこれが目印となることを認識してもらうのが第１目的である。一度認識してもらえば、洗濯後に付け直しをするときにも注意書きに目が行って間違いなく差込口２８を見つけることができる。
【００１６】
台紙の第２目的は、製造作業者向けのものであって、台紙３が取り付けられていることにより、便座カバー下端部２３に差込口２８が間違いなく開口していること、差込口２８の位置及び大きさが適正なものであることを目視により確認させることである。
【００１７】
上記目的を有する台紙であるから、製品が消費者にわたって第１目的が果たされた後は、廃棄されるのがふつうであろう。しかし、消費者が希望すれば、図４に示すように、常時取り付けておくこともできる。常時取り付けを希望する人が多いときには、台紙をプラスチックシートとして、工場出荷段階から台紙を差込口に固定的に縫い付けてしまうこともできる。
【符号の説明】
【００１８】
1      便座
２     便座カバー
２１   本体
２２   上端縁
２３   下端縁
２４   ゴム紐
２５   保形リング
２５ａ リング
２５ｂ 結合パイプ
２７   フック
２８   差込口
３     差込口表示具
３１   左右延長脚部
３２   摘み部
４    注意書き布片
【先行技術文献】
【特許文献】
【００１９】
【特許文献１】特開２００４―１３５９１１
【特許文献２】特開２００９―７２３２５
【特許文献３】実公昭５９―３２３９８
【図１】
0003182644.tif 000003
【図２】
0003182644.tif 000004
【図３】
0003182644.tif 000005
【図４】
0003182644.tif 000006
【図５】
0003182644.tif 000007
【図６】
0003182644.tif 000008